(57)【要約】【課題】読み取った画像のプレビューの要否を適切に判断することが可能な画像処理装置を提供する。【解決手段】画像処理装置は、読取媒体の画像を読み取り、プレビュー判断処理を行う。プレビュー判断処理では、画像処理装置において設定されている少なくとも１つの設定項目毎の設定値、及び、画像を読み取ることにより得られる読取結果情報、の少なくとも一方に基づいて、読取画像を示すプレビュー画像９３を表示する必要があるか否かを判断する。画像処理装置は、プレビュー画像９３を表示する必要があると判断した場合、プレビュー画像９３を表示し、プレビュー画像９３を表示する必要がないと判断した場合、プレビュー画像９３を表示することなく、読取画像のデータに基づく特定の処理を行う。【選択図】図４
2020137046.tif 000002
【特許請求の範囲】
【請求項１】
読取部と、
表示部と、
入力部と、
制御部と、
を備えた画像処理装置であって、
前記制御部は、
前記読取部により読取媒体の画像を読み取る読取処理と、
前記画像処理装置において設定されている少なくとも１つの設定項目毎の設定値、及び、前記読取処理を実行することにより得られる読取結果情報、の少なくとも一方に基づいて、前記読取処理により読み取られた画像である読取画像を示すプレビュー画像を前記表示部に表示する必要があるか否かを判断するプレビュー判断処理と、
前記プレビュー判断処理により前記プレビュー画像を表示する必要があると判断された場合、前記表示部に前記プレビュー画像を表示するプレビュー画像表示処理と、
前記プレビュー画像表示処理により前記プレビュー画像が表示された後、前記入力部を介して処理指示が入力されることに応じて、前記読取画像のデータに基づく特定の処理を行う第１の画像処理と、
前記プレビュー判断処理により前記プレビュー画像を表示する必要がないと判断された場合、前記プレビュー画像を表示することなく、前記読取画像のデータに基づく前記特定の処理を行う第２の画像処理と、
を実行する画像処理装置。
【請求項２】
請求項１に記載の画像処理装置であって、
さらに、記録媒体に画像を印刷する印刷部を備え、
前記特定の処理は、少なくとも１つの印刷設定項目毎の設定値に基づいて、前記印刷部により前記読取画像を印刷する印刷処理を含み、
前記少なくとも１つの設定項目は、前記少なくとも１つの印刷設定項目を含む、
画像処理装置。
【請求項３】
請求項２に記載の画像処理装置であって、
前記少なくとも１つの印刷設定項目は、前記読取画像の印刷部数、前記読取画像の印刷画質、前記読取画像が印刷される前記記録媒体のサイズを示す媒体サイズ、前記読取画像が印刷される前記記録媒体の種類を示す媒体種類、及び、１つの読取画像をどのようなサイズで１つの前記記録媒体内に印刷させる又は複数の前記記録媒体に分割して印刷させるかを示す印刷レイアウト設定、のうちの少なくとも１つを有し、
前記プレビュー判断処理は、少なくとも、前記少なくとも１つの印刷設定項目毎の設定値に基づいて、前記プレビュー画像を表示する必要があるか否かを判断する
画像処理装置。
【請求項４】
請求項３に記載の画像処理装置であって、
前記プレビュー判断処理は、以下の（１ａ）〜（１ｅ）のうちの特定の１つ以上が成立した場合、前記プレビュー画像を表示する必要があると判断する、画像処理装置。
（１ａ）前記少なくとも１つの印刷設定項目に前記印刷部数が含まれる場合において、前記印刷部数が部数閾値以上であること。
（１ｂ）前記少なくとも１つの印刷設定項目に前記印刷画質が含まれる場合において、前記印刷画質が、一種類以上の特定の印刷画質のうちのいずれかであること。
（１ｃ）前記少なくとも１つの印刷設定項目に前記媒体サイズが含まれる場合において、前記媒体サイズがサイズ閾値以上であること。
（１ｄ）前記少なくとも１つの印刷設定項目に前記媒体種類が含まれる場合において、前記媒体種類が、一種類以上の特定の媒体種類のうちのいずれかであること。
（１ｅ）前記少なくとも１つの印刷設定項目に前記印刷レイアウト設定が含まれる場合において、前記印刷レイアウト設定が、１つの読取画像を複数の前記記録媒体に分割して印刷させるように設定されていること。
【請求項５】
請求項３に記載の画像処理装置であって、
前記プレビュー判断処理は、以下の（２ａ）及び（２ｂ）のうちの一方又は両方が成立した場合に前記プレビュー画像を表示する必要があると判断する初期判断処理を含む、画像処理装置。
（２ａ）前記少なくとも１つの印刷設定項目毎の設定値に基づいて、１つの前記読取画像を前記記録媒体に１部印刷させるために必要な色材の使用量である単位色材使用量を推定し、その推定した単位色材使用量が第１色材閾値を超えること。
（２ｂ）前記少なくとも１つの印刷設定項目毎の設定値に基づいて、１つの前記読取画像を前記記録媒体に１部印刷させるために必要な前記記録媒体のコストである単位媒体コストを推定し、その推定した単位媒体コストが第１コスト閾値を超えること。
【請求項６】
請求項１に記載の画像処理装置であって、
前記プレビュー判断処理は、少なくとも、前記読取結果情報に基づいて、前記プレビュー画像を表示する必要があるか否かを判断し、
前記読取結果情報は、前記読取画像の数である読取画像数を含む、
画像処理装置。
【請求項７】
請求項６に記載の画像処理装置であって、
前記プレビュー判断処理は、前記読取画像数が画像数閾値以上である場合、前記プレビュー画像を表示する必要があると判断する、
画像処理装置。
【請求項８】
請求項６又は請求項７に記載の画像処理装置であって、
さらに、記録媒体に画像を印刷する印刷部を備え、
前記特定の処理は、前記印刷部により前記読取画像を印刷する印刷処理を含み、
前記読取結果情報は、さらに、前記読取画像のサイズを含み、
前記プレビュー判断処理は、前記読取画像のサイズが前記記録媒体のサイズよりも大きい場合、前記プレビュー画像を表示する必要があると判断する、
画像処理装置。
【請求項９】
請求項６に記載の画像処理装置であって、
さらに、記録媒体に画像を印刷する印刷部を備え、
前記特定の処理は、少なくとも１つの印刷設定項目毎の設定値に基づいて前記印刷部により前記読取画像を印刷する印刷処理を含み、
前記少なくとも１つの設定項目は、前記少なくとも１つの印刷設定項目を含み、
前記プレビュー判断処理は、以下の（３ａ）及び（３ｂ）のうちの一方又は両方が成立した場合に前記プレビュー画像を表示する必要があると判断する、画像処理装置。
（３ａ）前記読取画像数の前記読取画像を前記少なくとも１つの印刷設定項目毎の設定値に基づいて印刷させるために必要な色材の使用量であるトータル色材使用量を推定し、その推定したトータル色材使用量が第２色材閾値を超えること。
（３ｂ）前記読取画像数の前記読取画像を前記少なくとも１つの印刷設定項目毎の設定値に基づいて印刷させるために必要な前記記録媒体のコストであるトータル媒体コストを推定し、その推定したトータル媒体コストが第２コスト閾値を超えること。
【請求項１０】
請求項５に記載の画像処理装置であって、
前記読取結果情報は、前記読取画像の数である読取画像数を含み、
前記プレビュー判断処理は、前記初期判断処理によって前記プレビュー画像を表示する必要がないと判断された場合、さらに、以下の（３ａ）及び（３ｂ）のうちの一方又は両方が成立した場合に前記プレビュー画像を表示する必要があると判断する、画像処理装置。
（３ａ）前記読取画像数の前記読取画像を前記少なくとも１つの印刷設定項目毎の設定値に基づいて印刷させるために必要な色材の使用量であるトータル色材使用量を推定し、その推定したトータル色材使用量が第２色材閾値を超えること。
（３ｂ）前記読取画像数の前記読取画像を前記少なくとも１つの印刷設定項目毎の設定値に基づいて印刷させるために必要な前記記録媒体のコストであるトータル媒体コストを推定し、その推定したトータル媒体コストが第２コスト閾値を超えること。
【請求項１１】
請求項５又は請求項１０に記載の画像処理装置であって、
前記制御部は、さらに、前記入力部を介して入力される閾値変更要求に応じて、前記第１色材閾値及び前記第１コスト閾値のうちの少なくとも一方を変更する閾値変更処理を実行する、
画像処理装置。
【請求項１２】
請求項９又は請求項１０に記載の画像処理装置であって、
前記制御部は、さらに、前記入力部を介して入力される閾値変更要求に応じて、前記第２色材閾値及び前記第２コスト閾値のうちの少なくとも一方を変更する閾値変更処理を実行する、
画像処理装置。
【発明の詳細な説明】
【技術分野】
【０００１】
本発明は、読取媒体から読み取った画像を処理する技術に関する。
【背景技術】
【０００２】
原稿の画像を読み取るスキャン機能を備えると共に、スキャン機能により読み取った画像を印刷したり、スキャン機能により読み取った画像のデータを他の装置へ送信したりすることが可能に構成された画像処理システムが知られている。この種の画像処理システムの多くは、さらに、スキャン機能により読み取られた画像を示すプレビュー画像を表示するプレビュー機能を備えている。
【０００３】
特許文献１には、印刷の実行前に、印刷物のプレビュー画像を表示するか否かを決定し、プレビュー画像を表示すると決定した場合にプレビュー画像を表示するように構成された印刷システムが開示されている。この印刷システムは、プレビュー画像を表示するか否かを、ユーザの印刷履歴（例えば、印刷ミスの度合い）に基づいて決定する。
【先行技術文献】
【特許文献】
【０００４】
【特許文献１】特開２０１７−１９９０９０号公報
【発明の概要】
【発明が解決しようとする課題】
【０００５】
特許文献１に開示された技術は、プレビュー画像を表示するか否かが自動で決定されるという点で便利ではあるが、プレビュー画像を表示するか否かの決定において、実際に印刷される印刷ジョブに関する情報は参照されない。そのため、プレビュー画像を表示するか否かの決定が、プレビュー画像を表示する必要性が適切に反映されて行われるとは言い難い。
【０００６】
スキャン機能を備えた画像処理システムにおける、プレビュー画像を表示する必要性は、必ずしも過去の履歴に依存するとは言えず、むしろ、実際にスキャンした画像の内容、或いはその画像の具体的処理方法（例えば印刷方法）などに依存し得る。
【０００７】
本発明は上記課題に鑑みなされたものであり、読み取った画像のプレビュー画像を表示する必要性を適切に判断することが可能な画像処理装置を提供することを目的とする。
【課題を解決するための手段】
【０００８】
本発明の画像処理装置は、読取部と、表示部と、入力部と、制御部とを備える。制御部は、読取処理と、プレビュー判断処理と、プレビュー画像表示処理と、第１の画像処理と、第２の画像処理とを実行する。
【０００９】
読取処理は、読取部により読取媒体の画像を読み取る処理である。
プレビュー判断処理は、画像処理装置において設定されている少なくとも１つの設定項目毎の設定値、及び、読取処理を実行することにより得られる読取結果情報、の少なくとも一方に基づいて、読取処理により読み取られた画像である読取画像を示すプレビュー画像を表示部に表示する必要があるか否かを判断する処理である。
【００１０】
プレビュー画像表示処理は、プレビュー判断処理によりプレビュー画像を表示する必要があると判断された場合、表示部にプレビュー画像を表示する処理である。
第１の画像処理は、プレビュー画像表示処理によりプレビュー画像が表示された後、入力部を介して処理指示が入力されることに応じて、読取画像のデータに基づく特定の処理を行う処理である。
【００１１】
第２の画像処理は、プレビュー判断処理によりプレビュー画像を表示する必要がないと判断された場合、プレビュー画像を表示することなく、読取画像のデータに基づく特定の処理を行う処理である。
【００１２】
なお、画像処理装置において設定されている少なくとも１つの設定項目の設定値とは、例えば、読取処理で用いられる設定項目の設定値であってもよいし、特定の処理で用いられる設定項目の設定値であってもよいし、これらの両方であってもよい。
【００１３】
このように構成された画像処理装置では、設定されている設定項目毎の設定値、及び読取結果情報のうちの、少なくとも一方に基づいて、プレビュー画像を表示する必要があるか否かが判断される。そのため、読み取った画像のプレビュー画像を表示する必要性が適切に判断され、ユーザにとって、必要に応じてプレビュー画像が表示される利便性の良い画像処理装置を提供することが可能となる。
【図面の簡単な説明】
【００１４】
【図１】画像処理装置の構成を示すブロック図である。
【図２】プレビュー機能に関する設定項目の設定時の画面遷移例を示す説明図である。
【図３】コピー機能に関する設定項目の設定時の画面遷移例を示す説明図である。
【図４】コピー機能実行時の画面遷移例を示す説明図である。
【図５】単位判定係数テーブルを示す説明図である。
【図６】トータル判定係数テーブルを示す説明図である。
【図７】インク使用量及び用紙コストの算出例を示す説明図である。
【図８】第１実施形態のコピー処理の一部を示すフローチャートである。
【図９】第１実施形態のコピー処理の一部（図８の続き）を示すフローチャートである。
【図１０】第２実施形態のコピー処理の一部（図８の続き）を示すフローチャートである。
【発明を実施するための形態】
【００１５】
以下、本発明の実施形態について、図面を参照しながら説明する。
［１．第１実施形態］
（１−１）画像処理装置の構成
図１に示す本実施形態の画像処理装置１０は、例えばスキャン機能、印刷機能、コピー機能、ファクス機能などの、複数の機能を備えている。スキャン機能は、原稿の画像を読み取ってその読み取った画像の画像データを生成する機能である。印刷機能は、シート状の記録用紙へ画像を印刷する機能である。コピー機能は、スキャン機能により読み取った画像を印刷機能により印刷する機能である。ファクス機能は、ファクシミリデータの送受信を行う機能である。
【００１６】
図１に示すように、画像処理装置１０は、制御部１１と、記憶部１２と、表示部１３と、入力部１４と、読取部１５と、印刷部１６と、メディアインタフェース部１７と、第１通信部１８と、第２通信部１９とを備え、これらがバス５を介して相互に接続されている。なお、メディアインタフェース部のことを、以下「メディアＩ／Ｆ」と略称する。
【００１７】
制御部１１は例えばＣＰＵを備える。記憶部１２は、例えばＲＯＭ、ＲＡＭ、ＮＶＲＡＭ、フラッシュメモリなどの半導体メモリを有する。即ち、本実施形態の画像処理装置１０は、ＣＰＵ及び半導体メモリを含む、マイクロコンピュータを備えている。
【００１８】
制御部１１は、非遷移的実体的記録媒体に格納されたプログラムを実行することにより各種機能を実現する。本実施形態では、記憶部１２が、プログラムを格納した非遷移的実体的記録媒体に該当する。なお、制御部１１により実現される各種機能は、プログラムの実行によって（即ち、ソフトウェア処理によって）実現することに限るものではなく、その一部又は全部について、一つあるいは複数のハードウェアを用いて実現してもよい。
【００１９】
記憶部１２には、図２〜図４に示す画面を含む各種画面のデータが記憶されている。また、記憶部１２には、図５に示す単位判定係数テーブルのデータ、図６に示すトータル判定係数テーブルのデータ、図８〜図９に示すコピー処理のプログラム、なども記憶されている。
【００２０】
表示部１３は、各種情報を表示するための表示デバイスを有する。本実施形態の表示部１３は、表示デバイスとしてディスプレイ１３ａを有する。
入力部１４は、各種入力操作を受け付けるための入力用デバイスを有する。本実施形態の入力部１４は、入力用デバイスとしてタッチパネル１４ａを有する。タッチパネル１４ａは、表示部１３の表示デバイスにおける、画像が表示される画像表示領域に重畳配置される。
【００２１】
表示部１３の画像表示領域に重畳配置されたタッチパネル１４ａは、画像表示領域に対する、指示体による接触又は近接による指示操作を検出可能である。即ち、タッチパネル１４ａは、画像表示領域に対して指示体による指示操作が行われている場合に、その指示操作が行われている位置である指示位置を示す位置情報を出力可能に構成されている。本実施形態のタッチパネル１４ａは、指示体により指示操作が行われている間、位置情報を連続的又は周期的に出力するよう構成されている。
【００２２】
なお、タッチパネル１４ａは、指示操作として接触のみ検出可能な構成であってもよいし、近接のみ検出可能な構成であってもよいし、接触及び近接の両方を検出可能な構成であってもよい。
【００２３】
制御部１１は、タッチパネル１４ａから出力される位置情報を取得し、その取得した位置情報に基づいて、指示体の指示操作の有無、指示操作が行われている場合における指示位置、指示操作が行われている場合における指示体による少なくとも一種類の特定の操作を検出することができる。
【００２４】
制御部１１が検出可能な特定の操作には、例えば、タップ操作、フリック操作、ドラッグ操作などが含まれる。タップ操作は、指示体により指示操作が行われた後、同じ位置で指示体が離れる操作である。指示操作を行うことが可能な指示体の具体的態様は種々考えられ、例えば指先であってもよいし、スタイラスペンなどの特定の指示用デバイスであってもよい。
【００２５】
読取部１５は、イメージセンサを備え、画像が記録された原稿におけるその画像を読み取り、読み取った画像（以下、「スキャン画像」と称する）の画像データ（以下、「スキャンデータ」と称する）を生成する。イメージセンサは、例えば、ＣＣＤイメージセンサであってもよいし、ＣＭＯＳイメージセンサであってもよい。原稿は、例えば紙、布、レーベルのうちの少なくとも１つであってもよい。
【００２６】
なお、画像処理装置１０は、原稿を載置するための不図示の原稿台を備える。読取部１５は、原稿台に載置された原稿の画像を読み取るように構成されている。また、画像処理装置１０は、ＡＤＦを備えていてもよい。ＡＤＦとは、自動原稿送り装置を意味する、Ａｕｔｏｍａｔｉｃ  Ｄｏｃｕｍｅｎｔ  Ｆｅｅｄｅｒの略称である。また、読取部１５は、原稿台に載置された及びＡＤＦにセットされた原稿の少なくとも一方について、その原稿の両面の画像を読み取るいわゆる両面スキャンを実行可能に構成されていてもよい。
【００２７】
印刷部１６は、インクジェット技術や電子写真技術の印刷機構を有し、シート状の記録用紙に画像を印刷することが可能である。印刷機構は、色の原料となる色材が収容された色材カートリッジを１つ又は複数備えている。
【００２８】
印刷部１６は、印刷させる画像の内容に応じて、色材カートリッジ内の色材を記録用紙に吐出または転写させることによって、画像を記録用紙に印刷する。なお、インクジェット技術の印刷機構は、色材として例えば液体またはゲル状のインクを有する。電子写真技術の印刷機構は、色材として例えば粉体のトナーを有する。
【００２９】
なお、以下の説明では、印刷部１６はインクジェット技術の印刷機構を有していることを想定して説明する。
メディアＩ／Ｆ１７は、例えばＵＳＢフラッシュメモリなどの、各種の記憶メディアが装着されるインタフェース部であり、装着された記憶メディアに対するデータの書き込み及び読み出しを制御する。
【００３０】
第１通信部１８は、画像処理装置１０を不図示のネットワークに接続するための通信インタフェースである。ネットワークは、例えば有線ＬＡＮであってもよいし、無線ＬＡＮであってもよいし、他の無線通信ネットワークであってもよい。画像処理装置１０は、第１通信部１８を介して、パソコンやスマートフォン、タブレット端末などの各種情報処理装置とデータ通信可能である。また、画像処理装置１０は、第１通信部１８を介してインターネットに接続し、インターネットを介して他の各種サーバや各種情報処理装置などとデータ通信可能である。
【００３１】
第２通信部１９は、通信回線１００を通じて外部機器と通信を行うためのインタフェース部である。第２通信部１９に接続される通信回線１００は、本実施形態では例えば公衆電話網である。ファクス機能におけるファクシミリデータの送受信は、基本的には、第２通信部１９を介して行われる。
【００３２】
スキャン機能は、基本的には、制御部１１が読取部１５を制御することにより実行される。本実施形態のスキャン機能は、より詳しくは、スキャン画像の処理方法に応じた複数のサブ機能を含む。サブ機能には、例えば、スキャンｔｏＵＳＢメモリ、スキャンｔｏＰＣ、スキャンｔｏＥメール送信、などがある。スキャンｔｏＵＳＢメモリは、スキャンデータを、メディアＩ／Ｆ１７に接続されているＵＳＢメモリへ出力してＵＳＢメモリに保存させる機能である。スキャンｔｏＰＣは、スキャンデータを、画像処理装置１０に接続されている他の情報処理装置へ送信する機能である。スキャンｔｏＥメール送信は、スキャンデータを電子メールで送信する機能である。
【００３３】
コピー機能は、基本的には、制御部１１が読取部１５及び印刷部１６を制御することにより実行される。即ち、制御部１１は、読取部１５により原稿の画像を読み取らせること、即ちスキャン機能を実行することにより、スキャンデータを取得する。そして、そのスキャンデータに基づいて印刷部１６に印刷を実行させること、即ち印刷機能を実行することにより、スキャン画像が印刷された記録用紙である印刷物を出力する。
【００３４】
（１−２）コピー機能の概要
次に、本実施形態の画像処理装置１０が備えるコピー機能について、具体的に説明する。コピー機能が開始されると、まず、スキャン機能により原稿の画像が読み取られる。即ち、原稿台に載置又はＡＤＦにセットされた原稿が、読取部１５により読み取られることにより、スキャンデータが生成される。そして、そのスキャンデータが示すスキャン画像が、印刷機能によって、記録用紙に印刷される。
【００３５】
ここで、本実施形態のコピー機能は、プレビュー機能を備えている。プレビュー機能は、スキャン画像を印刷する前に、印刷物のプレビュー画像を表示させる機能である。プレビュー画像は、スキャン画像が記録用紙に実際に印刷された状態を示す画像である。ユーザは、プレビュー画像を見ることにより、記録用紙においてスキャン画像がどの位置にどのようなサイズで印刷されるかを、印刷の前に確認することができる。
【００３６】
ユーザは、プレビュー機能を、「オフ」、「オン」、及び「自動」、のうちのいずれかに設定可能である。プレビュー機能が「オン」に設定されると、コピー機能が実行される度に、印刷実行前にプレビュー画像が表示される。プレビュー機能が「オフ」に設定されると、コピー機能が実行される度に、プレビュー画像が表示されることなく、スキャン画像が印刷される。
【００３７】
プレビュー機能が「自動」に設定されると、コピー機能が実行される度に、プレビュー判定機能が働く。プレビュー判定機能は、プレビュー画像を表示する必要性が高いか否かの判定（以下、「プレビュー判定」と称する）を自動的に行う機能である。プレビュー判定によってプレビュー画像を表示する必要性が高いと判定された場合は、印刷実行前にプレビュー画像が表示される。プレビュー判定によってプレビュー画像を表示する必要性が高いと判定されなかった場合、即ちプレビュー画像を表示する必要性が低い場合は、プレビュー画像が表示されない。
【００３８】
なお、プレビュー判定は、プレビュー画像を表示する必要があるか否かの判定であってもよい。その場合、表示する必要があると判定した場合はプレビュー画像を表示し、表示する必要がないと判定した場合はプレビュー画像を表示しないようにしてもよい。
【００３９】
プレビュー判定は、本実施形態では、画像処理装置１０において設定されている各種設定項目の設定値、及びスキャン機能による画像の読み取り結果に基づいて行われる。プレビュー判定に用いられる各種設定値は、例えば、実行するコピー機能における、スキャン機能の実行の際に用いられる各種設定項目の設定値であってもよいし、そのスキャン機能により読み取られたスキャン画像を印刷機能で印刷する際に用いられる各種設定項目の設定値であってもよい。
【００４０】
ユーザは、プレビュー機能の「オン」、「オフ」又は「自動」の設定を、例えば次のようにして行うことができる。即ち、ユーザは、まず、表示部１３に、図２に示す基本設定画面３０を表示させる。画像処理装置１０が起動すると、表示部１３には、不図示の待機画面が表示される。その待機画面を起点として所定の画面遷移操作を行うことで、基本設定画面３０を表示させることができる。
【００４１】
基本設定画面３０には、プレビュー設定ボタン３１及びプレビュー判定感度ボタン３２を含む複数のボタンが表示される。
プレビュー設定ボタン３１がユーザに選択操作されると、表示部１３には、図２に示すプレビュー設定画面４０が表示される。プレビュー判定感度ボタン３２が選択操作されると、表示部１３には、図２に示す判定感度設定画面４５が表示される。なお、選択操作はどのような操作であってもよく、本実施形態では例えば前述のタップ操作である。
【００４２】
プレビュー設定画面４０は、ユーザによる、プレビュー機能の「オン」、「オフ」又は「自動」の設定を受け付ける画面である。図２に示すように、プレビュー設定画面４０には、オンボタン４１、オフボタン４２及び自動ボタン４３が表示される。オンボタン４１が選択操作されると、プレビュー機能が「オン」に設定される。オフボタン４２が選択操作されると、プレビュー機能が「オフ」に設定される。自動ボタン４３が選択操作されると、プレビュー機能が「自動」に設定される。
【００４３】
判定感度設定画面４５は、ユーザによる、プレビュー判定感度の設定を受け付ける画面である。本実施形態のプレビュー判定機能は、少なくとも一種類の判定パラメータを算出し、その判定パラメータに基づいて、プレビュー画像を表示する必要性を判定するように構成されている。より具体的には、本実施形態では、判定パラメータが、対応する閾値を超えた場合に、プレビュー画像を表示する必要性が高いと判定される。
【００４４】
プレビュー判定感度は、プレビュー画像を表示する必要性が高いとの判定のされ易さを示し、より具体的には、前述の閾値のレベルを示す。プレビュー判定感度が高いほど、即ち閾値が低いほど、プレビュー画像を表示する必要性が高いと判定されやすくなる。逆に、プレビュー判定感度が低いほど、即ち閾値が高いほど、プレビュー画像を表示する必要性が高いと判定されにくくなる。
【００４５】
本実施形態では、プレビュー判定感度を、感度１〜感度４の四種類のうちのいずれかに設定可能である。感度１は、プレビュー判定感度が最も低く、閾値が例えば３２である。感度２は、プレビュー判定感度が感度１よりも高く、閾値が例えば１６である。感度３は、プレビュー判定感度が感度２よりも高く、閾値が例えば８である。感度４は、プレビュー判定感度が感度３よりも高く、閾値が例えば４である。つまり、閾値は、プレビュー判定感度が高くなるほど低い値になるように設定される。
【００４６】
判定感度設定画面４５には、感度１ボタン４６、感度２ボタン４７、感度３ボタン４８、および感度４ボタン４９が表示される。感度１ボタン４６が選択操作されるとプレビュー判定感度が感度１に設定され、感度２ボタン４７が選択操作されるとプレビュー判定感度が感度２に設定され、感度３ボタン４８が選択操作されるとプレビュー判定感度が感度３に設定され、感度４ボタン４９が選択操作されるとプレビュー判定感度が感度４に設定される。ユーザは、プレビュー画像をなるべく表示させたくない場合は、プレビュー判定感度を低い値（例えば、感度１又は感度２）に設定すればよい。逆に、プレビュー画像をなるべく表示させたい場合は  、プレビュー判定感度を高い値（例えば、感度３又は感度４）に設定すればよい。
【００４７】
（１−３）コピー機能実行時の画面遷移例
次に、コピー機能実行時に表示部１３に表示される画面の遷移例について、特にプレビュー設定が「自動」に設定されている場合について、図３及び図４を参照して説明する。
【００４８】
ユーザは、例えば、前述の待機画面から画面を遷移させることで、図３に示すコピースタート画面５０を表示させることができる。コピースタート画面５０には、複数の設定値表示ボタンが含まれる。複数の設定値表示ボタンには、例えば、倍率設定表示ボタン５１、両面コピー設定表示ボタン５２、トレイ設定表示ボタン５３、及びコピー画質設定表示ボタン５４が含まれる。
【００４９】
倍率設定表示ボタン５１には、スキャン画像を記録用紙に印刷させる際の拡大／縮小率を示すコピー倍率の現在の設定値が表示される。両面コピー設定表示ボタン５２には、スキャン画像を記録用紙の片面及び両面のどちらに印刷するかを示す両面コピー設定の現在の設定値が表示される。トレイ設定表示ボタン５３には、スキャン画像を印刷させる記録用紙が載置されたトレイを示す使用トレイの現在の設定値が表示される。コピー画質設定表示ボタン５４には、スキャン画像を記録用紙に印刷させる際の画質を示すコピー画質の現在の設定値が表示される。なお、これら各ボタン５１〜５４以外の他の設定値表示ボタンが表示される又は表示可能であってもよい。
【００５０】
ユーザは、各設定値表示ボタンを見ることで、コピー機能における各種設定項目の現在の設定値を確認することができる。
コピースタート画面５０には、さらに、設定変更ボタン５６と、モノクロスタートボタン５７と、カラースタートボタン５８とが表示される。
【００５１】
本実施形態では、コピー機能実行のために設定可能な各種設定項目として、前述のコピー倍率、両面コピー設定、使用トレイ及びコピー画質の他に、例えば、コピー部数、用紙タイプ、用紙サイズ、レイアウトコピーなどがある。コピー部数は、同じ１つのスキャン画像を印刷させる記録用紙の数（部数）を示す。用紙タイプは、スキャン画像を印刷させる記録用紙の種類を示す。用紙サイズは、スキャン画像を印刷させる記録用紙のサイズを示す。レイアウトコピーは、１つのスキャン画像をどのようなサイズで１つの記録用紙内に印刷させる又は複数の記録用紙に分割して印刷させるかを示す。そして、設定項目毎に、選択可能な複数の設定値が用意されている。ユーザは、設定項目毎に、対応する複数の設定値のうちのいずれか１つを設定することができる。
【００５２】
設定項目の設定値の変更は、例えば、コピースタート画面５０における設定変更ボタン５６を選択操作することによって可能である。設定変更ボタン５６が選択操作されると、表示部１３に、図３に示す設定項目画面６０が表示される。設定項目画面６０には、設定項目毎の複数の設定項目ボタンが表示される。図３の設定項目画面６０は、複数の設定項目ボタンとして、コピー画質に対応したコピー画質設定ボタン６１、用紙タイプに対応した用紙タイプ設定ボタン６２、用紙サイズに対応した用紙サイズボタン６３、及び使用トレイに対応したトレイ選択ボタン６４が表示されている例を示している。
【００５３】
いずれかの設定項目ボタンが選択操作されると、その設定項目ボタンに対応した設定項目の設定値を選択させるための設定値選択画面が表示される。設定値選択画面には、選択可能な設定値の各々に対応した複数のボタンが表示され、そのうち１つが選択操作されると、その選択操作されたボタンに対応した設定値が選択、設定される。
【００５４】
例えば、設定項目画面６０においてコピー画質ボタン６１が選択操作されると、表示部１３には、図３に示す画質設定画面７０が表示される。本実施形態では、コピー画質の設定値として、例えば、「標準」、「グラフ／地図」、「テキスト」及び「写真」の４種類が用意されている。そのため、画質設定画面７０には、図３に示すように、「標準」に対応した標準ボタン７１、「グラフ／地図」に対応したグラフ／地図ボタン７２、「テキスト」に対応したテキストボタン７３、及び「写真」に対応した写真ボタン７４が表示される。そして、いずれかのボタンが選択されると、コピー画質が、その選択されたボタンに対応した画質に設定される。
【００５５】
本実施形態では、コピー画質で設定可能な４種類の画質のうち、「写真」が、他の３種類と比べて相対的に画質が高い。そのため、コピー画質が「写真」に設定されて印刷が行われると、他の設定値で印刷が行われる場合に比べて、印刷する画像が同じであっても色材の使用量は多くなる。
【００５６】
なお、用紙タイプの設定値としては、本実施形態では、例えば、普通紙、インクジェット紙、Ｂ社Ｂ０１、その他の各種光沢紙、などが用意されている。用紙サイズの設定値としては、本実施形態では、例えば、Ａ３，Ａ４，Ａ５，Ｂ５，Ｌ判などが用意されている。
【００５７】
レイアウトコピーの設定値としては、本実施形態では、例えば、オフ，２ｉｎ１（縦長）、２ｉｎ１（横長）、４ｉｎ１（縦長）、ポスター（２×１）などが用意されている。レイアウトコピーの設定値において、オフとは、記録用紙１ページに１つのスキャン画像を印刷させることを示す。また、２ｉｎ１（縦長）とは、２つのスキャン画像を記録用紙１ページに縦方向に均等に割り付けて印刷させることを示す。また、ポスター（２×１）とは、１つのスキャン画像を２分割して２つの記録用紙に印刷させることを示す。
【００５８】
両面コピー設定の設定値としては、本実施形態では、例えば、オフ、片面⇒両面、両面⇒両面、両面⇒片面、などが用意されている。このうち例えばオフとは、１枚の原稿の片面の画像を、１枚の記録用紙の片面に印刷させることを示す。また、片面⇒両面とは、２枚の原稿それぞれの片面の画像を、１枚の記録用紙の両面に印刷させることを示す。また、両面⇒片面とは、１枚の原稿の両面の画像を、２枚の記録用紙それぞれの片面に印刷させることを示す。
【００５９】
コピースタート画面５０において、モノクロスタートボタン５７又はカラースタートボタン５８が選択操作されると、コピー機能が開始される。なお、モノクロスタートボタン５７が選択操作された場合は、原稿の画像がモノクロで印刷され、カラースタートボタン５８が選択操作された場合は、原稿の画像がカラーで印刷される。
【００６０】
コピー機能が開始されると、まず、スキャン機能が実行されることにより、原稿の画像が読み取られ、そのスキャン画像のスキャンデータが生成される。また、コピー機能が開始されると、プレビュー判定を行う。より具体的には、第１プレビュー条件が成立しているか否かの第１プレビュー判定を行う。
【００６１】
第１プレビュー条件は、コピー機能において用いられる各種設定項目の設定値のうちいずれか１つ又は複数に基づいて算出された判定パラメータが、現在設定されているプレビュー判定感度に対応した閾値を超えた場合に成立する。本実施形態では、２つの判定パラメータが算出され、その２つの判定パラメータのうち少なくとも一方が閾値を超えた場合に、第１プレビュー条件が成立する。２つの判定パラメータは、原稿１枚（即ち原稿１ページ）から読み取った１つのスキャン画像を記録用紙に１部印刷させるために必要なインクの推定使用量を示す単位インク使用量Ｐ１と、原稿１枚から読み取った１つのスキャン画像を記録用紙に１部印刷させるために必要な記録用紙の推定コストを示す単位用紙コストＱ１とを有する。なお、ここでいう「１部」とは、コピー部数を意味する。
【００６２】
本実施形態では、コピー部数、用紙タイプ、用紙サイズ、コピー画質、及びレイアウトコピー設定、の５種類の設定項目の現在の設定値に基づき、図５に示す単位判定係数テーブルを参照して、単位インク使用量Ｐ１及び単位用紙コストＱ１が算出される。
【００６３】
図５に示す単位判定係数テーブルは、例えば記憶部１２に記憶されている。この単位判定係数テーブルには、設定項目毎に、各設定値の単位インク使用量判定係数ｐ＿０１及び各設定値の単位用紙コスト判定係数ｑ＿０１が設定されている。
【００６４】
単位インク使用量判定係数ｐ＿０１は、標準的な設定値に基づくコピーを行った場合に原稿１枚のスキャン画像の１部印刷に使用される推定インク量を基準値１．０とすると共に、他の設定値で印刷した場合に使用される推定インク量を、標準的な設定値で印刷した場合の推定インク量との比率で表したものである。
【００６５】
標準的な設定値とは、本実施形態では、例えば、コピー部数が１部、用紙タイプが普通紙、用紙サイズがＡ４、コピー画質が標準、レイアウトコピー設定がオフ、である。
よって、コピー部数の単位インク使用量判定係数ｐ＿０１は、図５に示すように、コピー部数ｎと同値となる。即ち、コピー部数が例えば２部であれば単位インク使用量判定係数ｐ＿０１＝２となる。
【００６６】
用紙タイプの単位インク使用量判定係数ｐ＿０１は、図５に示すように、普通紙以外の用紙タイプは全て２．０に設定されている。これは、普通紙以外の記録用紙に印刷すると普通紙に印刷する場合よりもより多く（例えば約２倍）の色材が使用されることに基づいている。
【００６７】
用紙サイズについては、図５に示すように、Ａ３サイズ、Ａ４より大きくＡ３より小さいサイズ、Ａ４サイズ、Ａ５より大きくＡ４より小さいサイズ、及びＡ５以下のサイズ、の５種類に分類され、それぞれに対して単位インク使用量判定係数ｐ＿０１が設定されている。具体的には、用紙サイズが大きくなるほど単位インク使用量判定係数ｐ＿０１も大きくなるように設定されている。これは、記録用紙のサイズが大きくなるほど使用される色材の量も増加し得ることに基づいている。
【００６８】
コピー画質の単位インク使用量判定係数ｐ＿０１は、図５に示すように、写真が２．０に設定され、写真以外のコピー画質は全て１．０に設定されている。これは、写真画質は他の画質よりも画質が高く、他の画質で印刷するよりもより多くの色材が使用されることに基づいている。
【００６９】
レイアウトコピー設定については、図５に示すように、記録用紙１ページに割り付けられるスキャン画像の数が多いほど単位インク使用量判定係数ｐ＿０１は小さくなり、１つのスキャン画像が分割されて複数の記録用紙に印刷される際の記録用紙の数が多いほど単位インク使用量判定係数ｐ＿０１は大きくなるように設定されている。
【００７０】
単位インク使用量Ｐ１は、図５に示す５種類の設定項目の現在の設定値に対応した各単位インク使用量判定係数ｐ＿０１を乗算することによって算出される。例えば、図７（ａ）に示す第１コピー例のような標準コピーにおいては、各設定項目の単位インク使用量判定係数ｐ＿０１は全て１．０であるため、単位インク使用量Ｐ１＝１×１．０×１．０×１．０×１．０＝１．０となる。
【００７１】
また例えば、図７（ｂ）に示す第２コピー例のように、コピー部数が１部、用紙タイプがＢ社Ｂ０１、用紙サイズがＬ判、コピー画質が写真、レイアウトコピー設定がオフの場合は、単位インク使用量Ｐ１＝１×２．０×０．５×２．０×１．０＝２．０となる。
【００７２】
また例えば、図７（ｃ）に示す第３コピー例のように、コピー部数が３部、用紙タイプが普通紙、用紙サイズがＡ３、コピー画質が標準、レイアウトコピー設定が２ｉｎ１（縦長）の場合は、単位インク使用量Ｐ１＝３×１．０×２．０×１．０×０．５＝３．０となる。
【００７３】
単位用紙コスト判定係数ｑ＿０１は、標準的な設定値に基づくコピーを行った場合に原稿１枚のスキャン画像の１部印刷に使用される記録用紙の推定コストを基準値１．０とすると共に、他の設定値で印刷した場合に使用される記録用紙の推定コストを、標準的な設定値で印刷した場合の推定コストとの比率で表したものである。
【００７４】
よって、コピー部数の単位用紙コスト判定係数ｑ＿０１は、図５に示すように、コピー部数ｎと同値となる。即ち、コピー部数が例えば２部であれば単位用紙コスト判定係数ｑ＿０１＝２となる。
【００７５】
用紙タイプの単位用紙コスト判定係数ｑ＿０１は、図５に示すように、普通紙以外の用紙タイプは全て１０．０に設定されている。これは、普通紙以外の記録用紙のコストが普通紙のコストよりも高い（例えば約１０倍）ことに基づいている。
【００７６】
用紙サイズの単位用紙コスト判定係数ｑ＿０１は、図５に示すように、前述の５種類の分類の各々に対し、用紙サイズが大きくなるほど単位用紙コスト判定係数ｑ＿０１も大きくなるように設定されている。これは、記録用紙のサイズが大きくなるほどそのコストも高くなり得ることに基づいている。
【００７７】
コピー画質の単位用紙コスト判定係数ｑ＿０１については、図５に示すように、いずれも１．０に設定されている。これは、記録用紙のコストは基本的にはコピー画質に依存しないことに基づいている。
【００７８】
レイアウトコピー設定の単位用紙コスト判定係数ｑ＿０１は、図５に示すように、記録用紙１ページに割り付けられるスキャン画像の数如何にかかわらず１．０に設定されている一方で、１つのスキャン画像が分割されて複数の記録用紙に印刷される際の記録用紙の数が多いほど大きな値になるように設定されている。
【００７９】
単位用紙コストＱ１は、図５に示す５種類の設定項目の現在の設定値に対応した各単位用紙コスト判定係数ｑ＿０１を乗算することによって算出される。例えば、図７（ａ）に示す第１コピー例のような標準コピーにおいては、各設定項目の単位用紙コスト判定係数ｑ＿０１は全て１．０となるため、単位用紙コストＱ１＝１×１．０×１．０×１．０×１．０＝１．０となる。
【００８０】
また例えば、図７（ｂ）に示す第２コピー例の場合は、単位用紙コストＱ１＝１×１０．０×０．５×１．０×１．０＝５．０となる。
また例えば、図７（ｃ）に示す第３コピー例の場合は、単位用紙コストＱ１＝３×１．０×２．０×１．０×１．０＝６．０となる。
【００８１】
前述の第１プレビュー判定は、上記のようにして算出した単位インク使用量Ｐ１及び単位用紙コストＱ１に基づいて行われる。即ち、算出した単位インク使用量Ｐ１及び単位用紙コストＱ１のうちいずれか一方又は両方が閾値を超えている場合は、第１プレビュー条件が成立したと判断し、いずれも閾値以下の場合は第１プレビュー条件が成立していないと判断する。なお、単位インク使用量Ｐ１と単位用紙コストＱ１とで異なる閾値を用いてもよい。この場合、単位インク使用量Ｐ１に対応した閾値と単位用紙コストＱ１に対応した閾値とを個別に設定変更できるようにしてもよい。
【００８２】
コピー機能開始後は、スキャン機能により原稿の読み取りが開始されると共に、第１プレビュー判定によって第１プレビュー条件が成立していないと判断された場合は、原稿の読み取りが行われている間、図４に示す第１スキャン中画面８０が表示部１３に表示される。そして、原稿の読み取りが完了すると、再度、プレビュー判定を行う。より具体的には、第２プレビュー条件が成立しているか否かの第２プレビュー判定を行う。
【００８３】
第２プレビュー判定は、前述の原稿の画像を全て読み取った結果を考慮して算出された２つの判定パラメータのうちの少なくとも一方が、設定されているプレビュー判定感度に対応した閾値を超えた場合に成立する。この場合における２つの判定パラメータは、トータルインク使用量Ｐ２及びトータル用紙コストＱ２である。トータルインク使用量Ｐ２は、現在実行中のコピー機能を完了させるため、即ち、読み取った全てのスキャン画像を現在の各設定値に従って印刷させるために必要なインクの推定使用量を示す。トータル用紙コストＱ２は、現在実行中のコピー機能を完了させるために必要な記録用紙の推定コストを示す。トータルインク使用量Ｐ２及びトータル用紙コストＱ２は、図６に示すトータル判定係数テーブルを参照して算出される。
【００８４】
図６に示すトータル判定係数テーブルは、例えば記憶部１２に記憶されている。このトータル判定係数テーブルには、例えば三種類の設定項目毎に、各設定値のトータルインク使用量判定係数ｐ＿０２及びトータル用紙コスト判定係数ｑ＿０２が設定されている。
【００８５】
トータルインク使用量判定係数ｐ＿０２は、標準的な設定値に基づくコピーを行った場合に使用されるインク使用量の総量の推定値を基準値１．０とすると共に、他の設定値で印刷した場合に推定されるインク使用量の総量を、標準的な設定値で印刷した場合との比率で表したものである。
【００８６】
原稿ページ数のトータルインク使用量判定係数ｐ＿０２は、図６に示すように、原稿ページ数と同値（即ちスキャン画像の数と同値）となる。即ち、読み取られた原稿のページ数が例えば５ページであった場合はトータルインク使用量判定係数ｐ＿０２＝５となる。
【００８７】
レイアウトコピー設定及び両面コピー設定のトータルインク使用量判定係数ｐ＿０２については、本実施形態では、全ての設定値において標準値と同じ１．０に設定されている。これは、レイアウトコピー設定及び両面コピー設定の設定値は単位インク使用量判定係数ｐ＿０１においてすでに適正に考慮されていることに基づく。
【００８８】
トータルインク使用量Ｐ２は、本実施形態では、前述の単位インク使用量Ｐ１に、３種類のトータルインク使用量判定係数ｐ＿０２を乗算することによって算出される。
例えば図７（ａ）に示す第１コピー例のような標準コピー、即ち、原稿のページ数は１ページであって両面コピー設定がオフに設定されている場合においては、３種類のトータルインク使用量判定係数ｐ＿０２は全て１．０となる。そのため、トータルインク使用量Ｐ２＝単位インク使用量Ｐ１×１×１．０×１．０＝１．０×１×１．０×１．０＝１．０となる。
【００８９】
また例えば、図７（ｂ）に示す第２コピー例のように、原稿ページ数が３ページ、両面コピー設定がオフに設定されている場合は、トータルインク使用量Ｐ２＝単位インク使用量Ｐ１×３×１．０×１．０＝２．０×３×１．０×１．０＝６．０となる。
【００９０】
また例えば、図７（ｃ）に示す第３コピー例のように、原稿ページ数が１０ページ、両面コピー設定が片面⇒両面に設定されている場合は、トータルインク使用量Ｐ２＝単位インク使用量Ｐ１×１０×１．０×１．０＝３．０×１０×１．０×１．０＝３０．０となる。
【００９１】
トータル用紙コスト判定係数ｑ＿０２は、標準的な設定値に基づくコピーを行った場合に使用される記録用紙の総枚数の推定値を基準値１．０とすると共に、他の設定値で印刷した場合に推定される記録用紙の総枚数の推定値を、標準的な設定値で印刷した場合との比率で表したものである。
【００９２】
原稿ページ数のトータル用紙コスト判定係数ｑ＿０２は、図６に示すように、原稿ページ数と同値（即ちスキャン画像の数と同値）となる。即ち、読み取られた原稿のページ数が例えば５ページであった場合はトータル用紙コスト判定係数ｑ＿０２＝５となる。
【００９３】
レイアウトコピー設定のトータル用紙コスト判定係数ｑ＿０２については、本実施形態では、記録用紙１ページに割り付けられるスキャン画像の数が多いほど小さい値になるように設定されている。
【００９４】
両面コピー設定のトータル用紙コスト判定係数ｑ＿０２については、本実施形態では、記録用紙の片面にのみ印刷する場合は標準値１．０であるのに対し、記録用紙の両面に印刷する場合は標準値よりも小さい値（例えば０．５）に設定されている。
【００９５】
トータル用紙コストＱ２は、本実施形態では、前述の単位用紙コストＱ１に、３種類のトータル用紙コスト判定係数ｑ＿０２を乗算することによって算出される。
例えば図７（ａ）に示す第１コピー例のような標準コピーにおいては、原稿ページ数が１ページであって他の２つのトータル用紙コスト判定係数ｑ＿０２も１．０であるため、トータル用紙コストＱ２＝単位用紙コストＱ１×１×１．０×１．０＝１．０×１×１．０×１．０＝１．０となる。
【００９６】
また例えば、図７（ｂ）に示す第２コピー例では、原稿ページ数が３ページであって他の２つのトータル用紙コスト判定係数ｑ＿０２は１．０であるため、トータル用紙コストＱ２＝単位用紙コストＱ１×３×１．０×１．０＝５．０×３×１．０×１．０＝１５．０となる。
【００９７】
また例えば、図７（ｃ）に示す第３コピー例では、原稿ページ数が１０ページであって他の２つのトータル用紙コスト判定係数ｑ＿０２は０．５であるため、トータル用紙コストＱ２＝単位用紙コストＱ１×１０×０．５×０．５＝６．０×１０×０．５×０．５＝１５．０となる。
【００９８】
前述の第２プレビュー判定は、上記のようにして算出したトータルインク使用量Ｐ２及びトータル用紙コストＱ２に基づいて行われる。即ち、算出したトータルインク使用量Ｐ２及びトータル用紙コストＱ２のうちいずれか一方又は両方が閾値を超えている場合は、第２プレビュー条件が成立したと判断し、いずれも閾値以下の場合は第２プレビュー条件が成立していないと判断する。
【００９９】
なお、トータルインク使用量Ｐ２とトータル用紙コストＱ２とで異なる閾値を用いてもよい。また、トータルインク使用量Ｐ２とトータル用紙コストＱ２とで用いられる閾値は、前述の単位インク使用量Ｐ１と単位用紙コストＱ１とで用いられる閾値とは異なるものであってもよい。この場合、各閾値を個別に設定変更できるようにしてもよい。
【０１００】
コピー機能の開始後、第１プレビュー条件が成立しなかったことによって第１スキャン中画面８０が表示され、画像の読み取りが完了した後に、第２プレビュー条件も成立しなかった場合は、プレビュー画像が表示されることなく、印刷機能によるスキャン画像の印刷が行われる。印刷が行われている間は、図４に示すコピー中画面８３が表示部１３に表示される。
【０１０１】
一方、画像の読み取りが完了した後、第２プレビュー条件が成立した場合は、図４に示すプレビュー画面９０が表示される。プレビュー画面９０には、プレビュー画像９３が表示される。プレビュー画像９３は、実際の印刷状態、即ち、設定された用紙サイズの記録用紙にスキャン画像が実際にどのように印刷されるかを示している。プレビュー画像９３には、記録用紙の輪郭を示す画像も含まれていてもよい。
【０１０２】
プレビュー画面９０には、さらに、スタートボタン９２とキャンセルボタン９１とが表示される。スタートボタン９２が選択操作されると、印刷機能によるスキャン画像の印刷が行われる。印刷が行われている間は、図４に示すコピー中画面８３が表示部１３に表示される。
【０１０３】
プレビュー画面９０において、キャンセルボタン９１が選択操作されると、印刷が行われることなく、コピースタート画面５０（図３参照）が表示される。
コピー機能開始後、第１プレビュー判定によって第１プレビュー条件が成立していると判断された場合は、原稿の読み取りが行われている間、図４に示す第２スキャン中画面８５が表示部１３に表示される。
【０１０４】
第２スキャン中画面８５には、プレビュー画像を作成中であること、換言すればスキャン完了後に印刷開始に先立ってプレビュー画面９０を表示することを示す、「プレビュー画像作成中」というメッセージが表示される。さらに、第２スキャン中画面８５には、プレビューキャンセルボタン８６が表示される。
【０１０５】
プレビューキャンセルボタン８６が選択操作されると、表示部１３には、第２スキャン中画面８５に代えて第１スキャン中画面８０が表示される。第１スキャン中画面８０が表示された後の動作及び画面遷移は、前述と同様である。そのため、プレビューキャンセルボタン８６を選択操作したものの、画像の読み取り完了後に第２プレビュー条件が成立した場合は、プレビュー画面９０が表示される。なお、第２スキャン中画面８５でプレビューキャンセルボタン８６が選択操作された場合は、その後に第２プレビュー条件が成立してもプレビュー画面９０が表示されずに印刷が開始されるようにしてもよい。
【０１０６】
（１−４）コピー処理
次に、制御部１１が実行するコピー処理について、図８〜図９を参照して説明する。前述のコピー機能は、制御部１１がコピー処理を実行することによって達成される。制御部１１は、図３に例示したコピースタート画面５０においてモノクロスタートボタン５７又はカラースタートボタン５８がタップされると、記憶部１２に記憶されている図８〜図９のコピー処理のプログラムに従い、コピー処理を実行する。
【０１０７】
制御部１１は、コピー処理を開始すると、Ｓ１１０で、プレビュー機能の設定値を判定する。即ち、プレビュー機能が「オフ」、「オン」、及び「自動」のうちのいずれに設定されているかを判定する。
【０１０８】
プレビュー機能が「オフ」に設定されている場合は、Ｓ１２０で、スキャン（即ち原稿の読み取り）を実行する。スキャン実行中は、第１スキャン中画面８０を表示部１３に表示させる。スキャンが完了すると、スキャン画像のスキャンデータを生成し、Ｓ１３０に移行する。なお、スキャン実行中に随時スキャンデータを生成してもよい。Ｓ１３０では、スキャンデータに基づく印刷を実行する。即ち、スキャンデータが示すスキャン画像を、コピー機能の各設定項目の設定値に従って記録用紙に印刷する。印刷実行中は、コピー中画面８３を表示部１３に表示させる。印刷の完了後は、Ｓ３３０に移行し、表示部１３にコピースタート画面５０を表示させる。
【０１０９】
Ｓ１１０で、プレビュー機能が「オン」に設定されている場合は、Ｓ１４０で、スキャンを実行する。スキャン実行中は、第１スキャン中画面８０を表示部１３に表示させる。スキャンが完了すると、スキャン画像のスキャンデータを生成し、Ｓ１５０に移行する。なお、スキャン実行中に随時スキャンデータを生成してもよい。Ｓ１５０では、プレビュー画面９０を表示部１３に表示させる。
【０１１０】
Ｓ１６０では、プレビュー画面９０において選択操作されたボタンを判定する。キャンセルボタン９１が選択操作された場合は、Ｓ３３０に移行する。スタートボタン９２が選択操作された場合は、Ｓ１７０で、Ｓ１３０と同様にスキャンデータに基づく印刷を実行する。印刷実行中は、コピー中画面８３を表示部１３に表示させる。印刷の完了後は、Ｓ３３０に移行し、表示部１３にコピースタート画面５０を表示させる。
【０１１１】
Ｓ１１０で、プレビュー機能が「自動」に設定されている場合は、Ｓ１８０（図９）に移行する。Ｓ１８０では、単位インク使用量Ｐ１及び単位用紙コストＱ１を算出する。Ｓ１９０では、前述の第１プレビュー判定を行う。即ち、Ｓ１８０で算出した単位インク使用量Ｐ１及び単位用紙コストＱ１に基づき、第１プレビュー条件が成立しているか否かを判断する。
【０１１２】
第１プレビュー条件が成立している場合、即ちプレビュー画像９３を表示させる必要性が高い場合は、Ｓ２００で原稿のスキャンを開始し、Ｓ２１０で表示部１３に第２スキャン中画面８５を表示させる。
【０１１３】
Ｓ２２０では、第２スキャン中画面８５においてプレビューキャンセルボタン８６が選択操作されたか否か判断する。プレビューキャンセルボタン８６が選択操作された場合は、Ｓ２８０に移行する。プレビューキャンセルボタン８６が選択操作されていない場合は、Ｓ２３０に移行する。
【０１１４】
Ｓ２３０では、原稿台又はＡＤＦにセットされた全ての原稿、即ち読み取るべき全ての原稿のスキャンが完了したか否かを判断する。スキャンが完了していない場合は、Ｓ２１０に移行する。スキャンが完了した場合は、スキャン画像のスキャンデータを生成し、Ｓ２４０で、表示部１３にプレビュー画面９０を表示させる。なお、スキャンデータの生成は、スキャン実行中に随時行ってもよい。プレビュー画面９０には、プレビュー画像９３、即ち、生成したスキャンデータが示すスキャン画像が含まれる。
【０１１５】
Ｓ２５０では、Ｓ１６０と同様に、プレビュー画面９０において選択操作されたボタンを判定する。キャンセルボタン９１が選択操作された場合は、Ｓ３３０に移行する。スタートボタン９２が選択操作された場合は、Ｓ２６０で、Ｓ１７０と同様に、スキャンデータに基づく印刷を実行する。印刷実行中は、コピー中画面８３を表示部１３に表示させる。印刷の完了後は、Ｓ３３０に移行し、表示部１３にコピースタート画面５０を表示させる。
【０１１６】
Ｓ１９０で、第１プレビュー条件が成立していない場合は、Ｓ２７０に移行し、原稿のスキャンを開始する。Ｓ２８０では、表示部１３に第１スキャン中画面８０を表示させる。Ｓ２９０では、Ｓ２３０と同様、原稿のスキャンが完了したか否かを判断する。スキャンが完了していない場合は、Ｓ２８０に移行する。スキャンが完了した場合は、スキャン画像のスキャンデータを生成し、Ｓ３００に移行する。なお、この場合のスキャンデータの生成も、スキャン実行中に随時行ってもよい。
【０１１７】
Ｓ３００では、トータルインク使用量Ｐ２及びトータル用紙コストＱ２を算出する。Ｓ３１０では、前述の第２プレビュー判定を行う。即ち、Ｓ３００で算出したトータルインク使用量Ｐ２及びトータル用紙コストＱ２に基づき、第２プレビュー条件が成立しているか否かを判断する。
【０１１８】
第２プレビュー条件が成立している場合、即ちプレビュー画像９３を表示させる必要性が高い場合は、Ｓ２４０に移行し、表示部１３にプレビュー画面９０を表示させる。第２プレビュー条件が成立していない場合は、Ｓ３２０で、Ｓ２６０と同様に、スキャンデータに基づく印刷を実行する。印刷実行中は、コピー中画面８３を表示部１３に表示させる。印刷の完了後はＳ３３０に移行する。
【０１１９】
（１−５）実施形態の効果
以上説明した実施形態によれば、以下の効果を奏する。
本実施形態では、プレビュー機能を、「オン」、「オフ」及び「自動」のうちのいずれかに設定できる。そのため、ユーザは、プレビュー画面９０を表示させたい状況に応じてプレビュー機能を設定することで、ユーザの意向に沿った適切な頻度でプレビュー画面９０を表示させることが可能となる。
【０１２０】
プレビュー機能が「自動」に設定されている場合、コピー機能が開始されると、現在設定されている各設定値に基づいて第１プレビュー判定が実行される。そして、第１プレビュー判定において第１プレビュー条件が成立した場合は、印刷実行前にプレビュー画面９０が表示される。そのため、プレビュー画面９０の表示の要否が現在の設定値に応じて適切に判断され、ユーザにとって利便性の良い画像処理装置１０を提供することが可能となる。
【０１２１】
第１プレビュー判定で第１プレビュー条件が成立しなかった場合は、さらに、スキャン完了後、印刷の実行前に、第２プレビュー判定が実行される。そして、第２プレビュー判定において第２プレビュー条件が成立した場合は、印刷実行前にプレビュー画面９０が表示される。そのため、プレビュー画面９０の表示の要否が、実際のスキャン結果に応じてより適切に判断され、ユーザにとってより利便性の良い画像処理装置１０を提供することが可能となる。
【０１２２】
第１プレビュー判定及び第２プレビュー判定のいずれも、コピーで使用されるインクの使用量及び記録用紙のコストの推定値に基づいて行われる。即ち、推定されるインクの使用量が多いほどプレビュー画面９０が表示されやすくなり、推定される記録用紙の枚数が多いほどプレビュー画面９０が表示されやすくなる。つまり、コピーにかかるコストが高いほど、プレビュー画面９０が表示されやすくなる。そして、プレビュー画面９０が表示されれば、ユーザは、印刷前に、正しく印刷されるかどうかを確認でき、正しく印刷できないことが予想される場合は印刷を中止させることができる。そのため、コピー失敗に伴うインク及び記録用紙の浪費を効率的に抑制することが可能となる。
【０１２３】
本実施形態では、図２に示した判定感度設定画面４５を介して、プレビュー判定感度を変更、即ち前述の閾値を変更することができる。そのため、ユーザは、自身の好み或いは必要性等に応じた適切なプレビュー判定感度を設定することができ、ユーザにとってさらに利便性のよい画像処理装置１０を提供することが可能となる。
【０１２４】
なお、本実施形態において、原稿は読取媒体の一例に相当する。記録用紙は記録媒体の一例に相当する。図３の設定項目画面で設定可能な各設定項目は印刷設定項目の一例に相当する。スキャン画像は読取画像の一例に相当する。スキャン完了により読み取られた全原稿のページ数（図６の原稿ページ数ｍ）、即ちスキャン画像の総数は、読取結果情報の一例に相当する。コピー部数は印刷部数の一例に相当し、用紙タイプは媒体種類の一例に相当し、用紙サイズは媒体サイズの一例に相当し、コピー画質は印刷画質の一例に相当し、レイアウトコピー設定は印刷レイアウト設定の一例に相当する。前述の閾値は、第１色材閾値、第１コスト閾値、第２色材閾値及び第２コスト閾値の一例に相当する。単位インク使用量Ｐ１は単位色材使用量の一例に相当し、単位用紙コストＱ１は単位媒体コストの一例に相当する。トータルインク使用量Ｐ２はトータル色材使用量の一例に相当し、トータル用紙コストＱ２はトータル媒体コストの一例に相当する。
【０１２５】
また、Ｓ２００〜Ｓ２３０、Ｓ２７０〜Ｓ２９０の処理は読取処理の一例に相当する。Ｓ１９０，Ｓ３１０の処理はプレビュー判断処理の一例に相当する。Ｓ２４０の処理はプレビュー画像表示処理の一例に相当する。Ｓ２６０の処理は第１の画像処理の一例に相当する。Ｓ３２０の処理は第２の画像処理の一例に相当する。Ｓ１８０〜Ｓ１９０の処理は初期判断処理の一例に相当する。Ｓ２６０及びＳ３２０で実行される印刷は特定の処理の一例に相当する。図２の判定感度設定画面４５を介して実行される、ユーザの選択操作に応じてプレビュー判定感度を設定する処理は、閾値変更処理の一例に相当する。
【０１２６】
［２．第２実施形態］
第１実施形態では、単位インク使用量Ｐ１、単位用紙コストＱ１、トータルインク使用量Ｐ２、トータル用紙コストＱ２に基づいてプレビュー判定を行う例を示したが、プレビュー判定は、他の方法で行ってもよい。
【０１２７】
例えば、各設定項目の単位インク使用量判定係数ｐ＿０１、単位用紙コスト判定係数ｑ＿０１、トータルインク使用量判定係数ｐ＿０２、トータル用紙コスト判定係数ｑ＿０２に基づいてプレビュー判定を行ってもよい。その具体例を、第２実施形態として説明する。
【０１２８】
より具体的には、図８〜図９に示した第１実施形態のコピー処理の他の例を、図１０を参照して説明する。第２実施形態では、Ｓ１１０で「自動」と判断されると、図１０のＳ４１０に移行する。
【０１２９】
Ｓ４１０では、第３プレビュー条件が成立するか否かを判断する。第３プレビュー条件は、以下の（１ａ）〜（１ｅ）のうちの特定の１つ以上が成立した場合に成立する。
（１ａ）コピー部数の現在の設定値が部数閾値以上であること。部数閾値はどのような値であってもよく、例えば３部であってもよい。
（１ｂ）コピー画質の現在の設定値が、一種類以上の特定のコピー画質のうちのいずれかであること。特定のコピー画質はどのようなものでもよく、例えば「写真」であってもよい。
（１ｃ）用紙サイズの現在の設定値がサイズ閾値以上であること。サイズ閾値はどのような値であってもよく、例えばＡ３以上であってもよい。
（１ｄ）用紙タイプの現在の設定値が、一種類以上の特定の用紙タイプのうちのいずれかであること。特定の用紙タイプはどのようなものでもよく、例えば、「普通紙」以外の全ての用紙タイプであってもよい。
（１ｅ）レイアウトコピー設定の現在の設定値が、１つのスキャン画像を複数の記録用紙に分割して印刷させるように設定されていること。
【０１３０】
Ｓ４１０で、第３プレビュー条件が成立した場合は、Ｓ４２０に移行する。Ｓ４２０〜Ｓ４８０の処理は、図９のＳ２００〜Ｓ２６０の処理と同じであるため、説明を省略する。
Ｓ４１０で、第３プレビュー条件が成立しなかった場合は、Ｓ４９０に移行する。Ｓ４９０〜Ｓ５１０の処理は、図９のＳ２７０〜Ｓ２９０と同じであるため、説明を省略する。Ｓ５１０でスキャンが完了した場合は、スキャン画像のスキャンデータを生成し、Ｓ５２０に移行する。
【０１３１】
Ｓ５２０では、第４プレビュー条件が成立するか否かを判断する。第４プレビュー条件は、例えば、スキャンした原稿の全ページ数、即ちスキャン画像の総数が、画像数閾値以上であること、であってもよい。画像数閾値はどのような値であってもよく、例えば１０であってもよい。
【０１３２】
また例えば、第４プレビュー条件は、実際に読み取ったスキャン画像のサイズが、現在設定されている用紙サイズよりも大きいこと、であってもよい。制御部１１は、読み取られたスキャン画像のサイズを検出できるように構成されている。そのため、制御部１１は、実際のスキャン画像のサイズと現在設定されている用紙サイズとの大小関係を判断することができる。
【０１３３】
Ｓ５２０で、第４プレビュー条件が成立した場合は、Ｓ４６０に移行し、表示部１３にプレビュー画面９０を表示させる。第４プレビュー条件が成立していない場合は、Ｓ５３０で、図９のＳ３２０と同様に、スキャンデータに基づく印刷を実行する。印刷実行中は、コピー中画面８３を表示部１３に表示させる。印刷の完了後はＳ３３０に移行する。
【０１３４】
［３．他の実施形態］
以上、本発明の実施形態について説明したが、本発明は上述の実施形態に限定されることなく、種々変形して実施することができる。
【０１３５】
（１）第１実施形態のプレビュー機能は、第１プレビュー判定を行うと共に、第１プレビュー判定の結果に応じて第２プレビュー判定を行うこともあり得るように構成されていたが、第２プレビュー判定を行わないようにしてもよいし、逆に第１プレビュー判定を行わないようにしてもよい。
【０１３６】
（２）プレビュー判定感度の設定値は、感度１〜感度４の四種類に限定されない。また、各プレビュー判定感度に対応した閾値は、上記実施形態で示した値とは異なる値であってもよい。
【０１３７】
（３）プレビュー判定、即ちプレビューの要否の判定は、何に基づいて行ってもよいし、どのような方法で判定してもよい。例えば、スキャン機能の実行に用いられる設定値を参照してプレビュー判定を行ってもよい。また例えば、コピーが失敗する可能性が一定程度以上ある場合にプレビューが必要と判断してもよい。コピーが失敗する可能性が一定程度以上ある場合の具体例としては、例えば、直近の一定時間内にトレイが着脱された場合、が考えられる。トレイが着脱されたということは、トレイ内の記録用紙が別のサイズの記録用紙に入れ替えられた可能性があり、その場合、用紙サイズの設定値がトレイ内の記録用紙の実際のサイズと一致せず、コピーが適正に行われない可能性があるからである。
【０１３８】
（４）プレビュー機能は、コピー機能以外の、スキャン機能を含む他の機能においても実行されてもよい。つまり、本発明は、コピー機能に限らず、画像を読み取るスキャン機能を含む各種機能を備えた各種の機能実行装置において適用可能である。
【０１３９】
例えば、スキャンｔｏＵＳＢメモリにおいて、スキャンデータをＵＳＢメモリへ出力する前にプレビュー画像を表示可能であってもよい。この場合に、本発明を適用して、プレビュー判定を行い、その判定結果に応じてプレビュー画像を表示するようにしてもよい。
【０１４０】
また例えば、スキャンｔｏＥメール送信において、スキャンデータを電子メールで送信する前にプレビュー画像を表示可能であってもよい。この場合も、本発明を適用してプレビュー判定を行い、その判定結果に応じてプレビュー画像を表示するようにしてもよい。
【０１４１】
（５）プレビュー画像の表示は、画像処理装置１０で行うことに限定されず、画像処理装置１０とは別の装置で行うようにしてもよい。例えば、画像処理装置１０から、当該画像処理装置１０とデータ通信可能に接続されている情報処理装置へ、スキャンデータが送信され、その情報処理装置における表示部（例えば液晶ディスプレイ）に、スキャンデータが示すスキャン画像のプレビュー画像が表示されてもよい。
【０１４２】
（６）上記実施形態における１つの構成要素が有する複数の機能を、複数の構成要素によって実現したり、１つの構成要素が有する１つの機能を、複数の構成要素によって実現したりしてもよい。また、複数の構成要素が有する複数の機能を、１つの構成要素によって実現したり、複数の構成要素によって実現される１つの機能を、１つの構成要素によって実現したりしてもよい。また、上記実施形態の構成の一部を省略してもよい。また、上記実施形態の構成の少なくとも一部を、他の上記実施形態の構成に対して付加又は置換してもよい。
【符号の説明】
【０１４３】
１０…画像処理装置、１１…制御部、１２…記憶部、１３…表示部、１４…入力部、１５…読取部、１６…印刷部、３０…基本設定画面、３１…プレビュー設定ボタン、３２…プレビュー判定感度ボタン、４０…プレビュー設定画面、４１…オンボタン、４２…オフボタン、４３…自動ボタン、４５…判定感度設定画面、４６…感度１ボタン、４７…感度２ボタン、４８…感度３ボタン、４９…感度４ボタン、５０…コピースタート画面、５６…設定変更ボタン、５７…モノクロスタートボタン、５８…カラースタートボタン、８０…第１スキャン中画面、８３…コピー中画面、８５…第２スキャン中画面、８６…プレビューキャンセルボタン、９０…プレビュー画面、９１…キャンセルボタン、９２…スタートボタン、９３…プレビュー画像。
【図１】
2020137046.tif 000003
【図２】
2020137046.tif 000004
【図３】
2020137046.tif 000005
【図４】
2020137046.tif 000006
【図５】
2020137046.tif 000007
【図６】
2020137046.tif 000008
【図７】
2020137046.tif 000009
【図８】
2020137046.tif 000010
【図９】
2020137046.tif 000011
【図１０】
2020137046.tif 000012